【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
別個の電圧測定装置の動作を検査するための検証ユニットであって、前記検証ユニットは、
ハウジングと、
動作中に、ＡＣ出力ノードでＡＣ電圧を提供する交流（ＡＣ）電圧源と、
前記別個の接触電圧測定装置の試験器具プローブにアクセス可能である接触ＡＣ／ＤＣ正ポートと、
動作中に、ＡＣ電圧を入力として受け取り、ＤＣ電圧を出力するＡＣ−ＤＣ変換器回路と、
動作中に、前記ＡＣ電圧源の前記ＡＣ出力ノードを、前記接触ＡＣ／ＤＣ正ポートに直接的に、又は前記ＡＣ−ＤＣ変換器回路を介して前記接触ＡＣ／ＤＣ正ポートに間接的に、のいずれか一方で選択的に電気的に結合する少なくとも１つのＡＣ／ＤＣスイッチと、
前記ハウジングのセンサ受入部分で前記ハウジング内に配設された電界検知導体であって、前記ＡＣ出力ノードに電気的に結合されている、電界検知導体と、
モード選択スイッチと、
前記モード選択スイッチ、前記ＡＣ電圧源、及び前記少なくとも１つのＡＣ／ＤＣスイッチに動作可能に結合されたコントローラと、を含み、動作中に、前記コントローラは、
前記モード選択スイッチを介して、動作のモードの選択を受け取ることであって、動作の前記モードが、少なくともＤＣ電圧モード又はＡＣ電圧モードを含む、受け取ることと、
動作の前記モードの前記選択に少なくとも部分的に基づいて前記少なくとも１つのＡＣ／ＤＣスイッチを制御することと、
前記ＡＣ電圧源に前記ＡＣ出力ノードで前記ＡＣ電圧を提供させることと、を行う、検証ユニット。
【請求項２】
前記センサ受入部分が、前記電界検知導体の少なくとも一部分を含有する中央隆起部分を含み、前記中央隆起部分は、非接触電圧測定装置のプローブ端を受け入れるようにサイズ決め及び寸法決めされている、請求項１に記載の検証ユニット。
【請求項３】
前記ＡＣ電圧源が、デジタル−アナログ変換器、増幅器、及び変圧器を含み、前記デジタル−アナログ変換器の出力が、前記増幅器の入力に結合され、前記増幅器の出力が、前記変圧器の入力に結合され、前記ＡＣ出力ノードが、前記変圧器の出力を含む、請求項１に記載の検証ユニット。
【請求項４】
前記コントローラに動作可能に結合されたオンスイッチを更に含み、動作中に、前記オンスイッチが、オペレータが前記検証ユニットのポートと相互作用することに応答して起動され、前記コントローラが、前記ＡＣ電圧源に、前記オンスイッチが起動された後に所定期間、前記ＡＣ電圧を提供させる、請求項１に記載の検証ユニット。
【請求項５】
前記検証ユニットの基準ノードに電気的に結合された電界検知指ポートを更に含み、前記電界検知指ポートが、前記検証ユニットによって検査されている別個の非接触電圧測定装置のオペレータの指に、前記オペレータが前記別個の非接触電圧測定装置を把持している間アクセス可能である、請求項１に記載の検証ユニット。
【請求項６】
前記コントローラに動作可能に結合された複数のオンスイッチを更に含み、前記複数のオンスイッチの各々が、前記検証ユニットの異なるポートと関連付けられ、動作中に、前記オンスイッチの各々は、オペレータが前記検証ユニットの前記それぞれのポートのうちの１つと相互作用することに応答して起動され、前記コントローラは、前記ＡＣ電圧源に、前記複数のオンスイッチのいずれか１つの起動の後に所定期間、前記ＡＣ電圧を提供させる、請求項５に記載の検証ユニット。
【請求項７】
前記検証ユニットの基準ノードに電気的に結合された電界検知プローブポートを更に含み、前記電界検知プローブポートは、前記検証ユニットによって検査されている別個の非接触電圧測定装置の試験器具プローブにアクセス可能である、請求項１に記載の検証ユニット。
【請求項８】
前記コントローラに動作可能に結合された複数のオンスイッチを更に含み、前記オンスイッチの各々が、前記検証ユニットの異なるポートと関連付けられ、動作中に、前記オンスイッチの各々は、オペレータが前記検証ユニットの前記それぞれのポートのうちの１つと相互作用することに応答して起動され、前記コントローラは、前記ＡＣ電圧源に、前記オンスイッチのいずれかの起動の後に所定期間、前記ＡＣ電圧を提供させる、請求項７に記載の検証ユニット。
【請求項９】
前記少なくとも１つのＡＣ／ＤＣスイッチが、前記ＡＣ−ＤＣ変換器回路の入力に結合された第１のＡＣ／ＤＣスイッチと、前記ＡＣ−ＤＣ変換器回路の出力に結合された第２のＡＣ／ＤＣスイッチと、を含む、請求項１に記載の検証ユニット。
【請求項１０】
前記コントローラに結合された表示器を更に含み、動作中に、前記コントローラは、前記検証ユニットの動作状態の表示を提供するように前記表示器を制御する、請求項１に記載の検証ユニット。
【請求項１１】
前記表示器が、複数の発光ダイオード（ＬＥＤ）を含む、請求項１０に記載の検証ユニット。
【請求項１２】
前記ＡＣ出力ノード及び前記コントローラに動作可能に結合されたフィードバック回路を更に含み、動作中に、前記コントローラは、前記フィードバック回路からフィードバック信号を受け取り、前記フィードバック信号に少なくとも部分的に基づいて前記ＡＣ電圧源の前記動作を制御する、請求項１に記載の検証ユニット。
【請求項１３】
前記ＡＣ−ＤＣ変換器回路が、少なくとも１つの整流ダイオード及び少なくとも１つのフィルタコンデンサを含む、請求項１に記載の検証ユニット。
【請求項１４】
ＡＣ電圧モードの選択を受け取ると、前記コントローラが、前記ＡＣ電圧源の前記ＡＣ出力ノードを前記接触ＡＣ／ＤＣ正ポートに直接的に電気的に結合するように前記少なくとも１つのＡＣ／ＤＣスイッチを制御し、ＤＣ電圧モードの選択を受け取ると、前記コントローラが、前記ＡＣ電圧源の前記ＡＣ出力ノードを、前記ＡＣ−ＤＣ変換器回路を介して前記接触ＡＣ／ＤＣ正ポートに間接的に電気的に結合するように前記少なくとも１つのＡＣ／ＤＣスイッチを制御する、請求項１に記載の検証ユニット。
【請求項１５】
別個の電圧測定装置の動作を検査するための検証ユニットであって、前記検証ユニットは、
動作中に、ＡＣ出力ノードでＡＣ電圧を提供する交流（ＡＣ）電圧源と、
接触ＡＣ／ＤＣ正ポートと、
動作中に、ＡＣ電圧を入力として受け取り、ＤＣ電圧を出力するＡＣ−ＤＣ変換器回路と、
前記ＡＣ出力ノードと前記接触ＡＣ／ＤＣ正ポートとの間で前記ＡＣ−ＤＣ変換器回路を選択的に電気的に結合する少なくとも１つのＡＣ／ＤＣスイッチと、
前記ＡＣ出力ノードに電気的に結合された電界検知導体と、
モード選択スイッチと、
前記モード選択スイッチ、前記ＡＣ電圧源、及び前記少なくとも１つのＡＣ／ＤＣスイッチに動作可能に結合された制御回路と、を含み、動作中に、前記制御回路は、
前記モード選択スイッチを介して、動作のモードの選択を受け取ることであって、動作の前記モードが、少なくともＤＣ電圧モード又はＡＣ電圧モードを含む、受け取ることと、
動作のモードの前記選択に少なくとも部分的に基づいて前記少なくとも１つのＡＣ／ＤＣスイッチを制御することと、
前記ＡＣ電圧源に前記ＡＣ出力ノードでＡＣ電圧を提供させることと、を行う、検証ユニット。
【請求項１６】
前記制御回路が、前記ＡＣ電圧源に、前記検証ユニットのポートとのユーザーインタラクションが検出された後、ある期間、前記ＡＣ出力ノードでＡＣ電圧を提供させる、請求項１５に記載の検証ユニット。
【請求項１７】
前記期間が、１０秒〜６０秒である、請求項１６に記載の検証ユニット。
【請求項１８】
前記ＡＣ電圧源が、デジタル−アナログ変換器、増幅器、及び変圧器を含み、前記デジタル−アナログ変換器の出力が、前記増幅器の入力に結合され、前記増幅器の出力が、前記変圧器の入力に結合され、前記ＡＣ出力ノードが、前記変圧器の出力を含む、請求項１５に記載の検証ユニット。
【請求項１９】
前記検証ユニットの基準ノードに電気的に結合された電界検知指ポートであって、前記電界検知指ポートが、別個の非接触電圧測定装置のオペレータの指に、前記別個の非接触電圧測定装置を把持している間アクセス可能である、電界検知指ポートと、
前記検証ユニットの基準ノードに電気的に結合された電界検知プローブポートであって、前記電界検知プローブポートが、別個の非接触電圧測定装置の試験器具プローブにアクセス可能である、電界検知プローブポートと、を更に含む、請求項１５に記載の検証ユニット。
【請求項２０】
前記制御回路に結合された表示器を更に含み、動作中に、前記制御回路は、前記検証ユニットの動作状態の表示を提供するように前記表示器を制御する、請求項１５に記載の検証ユニット。
【請求項２１】
キットであって、
電圧測定装置と、
前記電圧測定装置の動作を検査するための検証ユニットと、を含み、前記検証ユニットは、
ハウジングと、
動作中に、ＡＣ出力ノードでＡＣ電圧を提供する交流（ＡＣ）電圧源と、
別個の接触電圧測定装置の試験器具プローブにアクセス可能である接触ＡＣ／ＤＣ正ポートと、
動作中に、ＡＣ電圧を入力として受け取り、ＤＣ電圧を出力するＡＣ−ＤＣ変換器回路と、
動作中に、前記ＡＣ電圧源の前記ＡＣ出力ノードを、前記接触ＡＣ／ＤＣ正ポートに直接的に、又は前記ＡＣ−ＤＣ変換器回路を介して前記接触ＡＣ／ＤＣ正ポートに間接的に、のいずれか一方で選択的に電気的に結合する少なくとも１つのＡＣ／ＤＣスイッチと、
前記ハウジングのセンサ受入部分で前記ハウジング内に配設された電界検知導体であって、前記センサ受入部分が、前記電圧測定装置の少なくとも一部分を受け入れるように構成及び配置され、前記電界検知導体が、前記ＡＣ出力ノードに電気的に結合されている、電界検知導体と、
モード選択スイッチと、
前記モード選択スイッチ、前記ＡＣ電圧源、及び前記少なくとも１つのＡＣ／ＤＣスイッチに動作可能に結合されたコントローラと、を含み、動作中に、前記コントローラは、
前記モード選択スイッチを介して、動作のモードの選択を受け取り、動作の前記モードが、少なくともＤＣ電圧モード又はＡＣ電圧モードを含み、
動作の前記モードの前記選択に少なくとも部分的に基づいて前記少なくとも１つのＡＣ／ＤＣスイッチを制御し、
前記ＡＣ電圧源に前記ＡＣ出力ノードでＡＣ電圧を提供させる、キット。
【請求項２２】
前記電圧測定装置が、接触電圧測定装置、又は絶縁線内の電圧を前記絶縁線内の導体とガルバニック接触することなく測定可能である非接触電圧測定装置のうちの少なくとも一方を含む、請求項２１に記載のキット。